(57)【特許請求の範囲】
【請求項１】
液滴吐出ノズルに対する液体収納部材としてのインクカートリッジを格納できる収納部が筐体壁面の一部に備えられ、該筐体壁面の一部には、開閉されることにより前記収納部を外部に露呈する位置と前記筐体壁面の一部をなす位置とに移動可能なカバーが備えられている画像形成装置において、
前記収納部は、大きさが異なる複数のインクカートリッジを収納可能であると共に、奥行き方向の長さを同じとされ、
前記カバーは、前記筐体において開閉可能に支持されるとともに、一部に嵌合部を形成されている開閉部本体と、前記嵌合部に嵌合されて進退可能に設けられている進退部とを備え、
前記進退部は、前記収納部に格納されたインクカートリッジの奥行き方向の長さを利用して進出動作が行われることを特徴とする画像形成装置。
【請求項２】
前記カバーの内側には、該カバーの閉じ状態検知機構が設けられ、該閉じ状態検知機構は、該カバーの内側面において前記収納部側に設けられたスイッチ作動部と、これに対向する前記筐体側に設けられているスイッチとを備え、該スイッチの作動状態により前記カートリッジが所定の収納位置に定置されていることを検知可能であることを特徴とする請求項１記載の画像形成装置。
【請求項３】
前記嵌合部には、前記進退部の進出位置及び進出位置から退出位置に対応させた係止部がそれぞれ設けられ、
前記進退部には、前記係止部のいずれかに係合する係合片が設けられ、該係合片が前記係止部のいずれかに係合することにより該進退部が進出位置または退出位置に維持されることを特徴とする請求項１または２記載の画像形成装置。
【請求項４】
前記嵌合部に設けられている係止部は凸部で形成され、前記進退部の係合片は、片持ち梁部で構成され、該係合片は、前記嵌合部の係止部を乗り上げた際に生じる形状復元力を利用して前記係止片間の凹部内に嵌合することで前記進退部の進退位置を維持することを特徴とする請求項１乃至３のうちのいずれか一つに記載の画像形成装置。
【請求項５】
前記進退部は、進出状態にあるとき、前記カバーが開放されて開閉部本体が着地した際に着地面に突き動かされることにより後退して退出位置に移動可能であることを特徴とする請求項１乃至３のうちのいずれか一つに記載の画像形成装置。
【請求項６】
前記進退部が透明体であることを特徴とする請求項１乃至５のうちの何れか一つに記載の画像形成装置。
【発明の詳細な説明】
【技術分野】
【０００１】
本発明は、画像形成装置に関し、さらに詳しくは、インクジェット記録装置におけるインクカートリッジの収納構造に関する。
【背景技術】
【０００２】
周知のように、プリンタ、ファクシミリ装置や複写装置あるいはプロッタさらにはこれら機能を併せ持つ複合機などの画像形成装置の一つに、インク液滴を吐出する記録ヘッドを用いた液体吐出記録方式によるインクジェット記録装置がある。
【０００３】
この液体吐出記録方式のインクジェット記録装置は、記録ヘッドからインク滴を、搬送される用紙に対して吐出して、画像形成（記録、印字、印写、印刷も同義語で使用する）を行ない、その型式として、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００４】
なお、本発明における液体吐出記録方式の画像形成装置としては、紙、糸、繊維、布帛、皮革、金属、プラスチック、ガラス、木材、セラミックス等の媒体を対象として、インクを着弾させて画像形成を行う装置を意味し、また、画像形成とは、文字や図形等の意味を持つ画像を媒体に対して付与することだけでなく、パターン等の意味を持たない画像を媒体に付与すること（単に液滴を媒体に着弾させること）をも意味する。
【０００５】
さらに、本発明の説明に用いるインクとは、インクと称されるものに限らず、記録液、定着処理液、樹脂、薬品、液体などと称されるものなど、画像形成を行うことができるすべての液体の総称として用いられているものが含まれる。
【０００６】
また、本発明で挙げる用紙とは、材質を紙に限定するものではなく、上述したＯＨＰシート、布なども含み、インク滴が付着されるものの意味であり、被記録媒体、記録媒体、記録紙、記録用紙などと称されるものを含むものの総称として用いる。
【０００７】
この液体吐出記録方式の画像形成装置は、製本や各種印刷物を少量生産する為に使用される設備型のインクジェットプリンターの場合、高速で駆動させる為、サーマル型またピエゾ型のインクジェットヘッドを多数個配置し、紙搬送方向に対し直角方向の駆動(キャリッジ駆動)を持たず、紙搬送のみで画像を形成することができるようになっている。
【０００８】
この種のインクジェット記録装置は、高速かつ低騒音であり、記録媒体の種類に制約が少なく、カラー化も容易であるなどの利点があることから、現在広く普及している。
【０００９】
インクジェット記録装置では、消耗品であるインクが用いられており、インクはカートリッジなどに収容されてインクジェット記録装置本体内に収納されている。
【００１０】
インクカートリッジは内部に収容されているインクが消費され終わると、装置本体側から取り出されて新品と交換される。
交換に際しては、装置本体側の収納部外表面に位置するカバーを開放することによりインクカートリッジが取り出されるようになっている例えば、特許文献１）。
【００１１】
ところで、上記特許文献１に開示されているように、インクカートリッジは、収容されているインクの色情報や交換時期などの色情報が書き込まれるようになっており、情報を書き込まれたＩＣチップがカートリッジの一部に設けられている。
ＩＣチップへの情報書込を行うのはインクカートリッジを収納している装置本体側のカバーが閉じられている状態で行われるため、カバーが開放される際には書込を禁止することが必要となる。
【００１２】
一方、使用頻度の高い色のインクカートリッジを対象として、そのカートリッジの交換頻度を少なくするために、カートリッジを大型のものとする場合がある。
しかし、カートリッジの一つでも他のカートリッジよりも大型のものが用いられる場合、他のカートリッジの収納スペースを設定した収納部に大型のカートリッジを配置すると、この大型のカートリッジが他のカートリッジよりも突出してしまうことがあり、これによってカバーを完全に閉じることができなくなる虞がある。
このようにカバーが閉じられていないと、上述したＩＣチップへの情報書込が行えなくなり、印字処理が行えなくなる虞がある。
【００１３】
そこで、特許文献１記載の技術では、開閉可能なカバーとは別に、大型のインクカートリッジを装填した際にも操作が可能な制御レバーを設け、制御レバーの操作状態によってＩＣチップへの情報書き込み制御が行えるようにした構成が開示されている。
【発明の概要】
【発明が解決しようとする課題】
【００１４】
しかし、上記特許文献１開示の構成では、ＩＣチップへの書き込み制御を行うための構成として、装置本体の一部を開閉可能に設けたカバーとは別の構造が必要となる。このため、構造の複雑化は否めない。
しかも、ＩＣチップへの書き込み制御はカバーの開閉動作によるのでなく、制御レバーを用いることから、カバーが開放した状態のまま、換言すれば、カバーが完全に閉じられないままで放置されることもある。従って、カバーの開閉操作に応じてＩＣチップへの書き込み制御を行えるようにすることは期待できない。
【００１５】
本発明の目的は、上記従来の画像形成装置、特に挿脱可能な交換部材のうちで大型の交換部材が収納された場合でも収納部にて交換部材の書き込み制御を特別な構成を用いることなく収納部の開閉操作のみで実行できる構成を備えた画像形成装置を提供することにある。
【課題を解決するための手段】
【００１６】
この目的を達成するため、本発明は次の構成よりなる。
（１）液滴吐出ノズルに対する液体収納部材としてのインクカートリッジを格納できる収納部が筐体壁面の一部に備えられ、該筐体壁面の一部には、開閉されることにより前記収納部を外部に露呈する位置と前記筐体壁面の一部をなす位置とに移動可能なカバーが備えられている画像形成装置において、
前記収納部は、大きさが異なる複数のインクカートリッジを収納可能であると共に、奥行き方向の長さを同じとされ、
前記カバーは、前記筐体において開閉可能に支持されるとともに、一部に嵌合部を形成されている開閉部本体と、前記嵌合部に嵌合されて進退可能に設けられている進退部とを備え、
前記進退部は、前記収納部に格納されたインクカートリッジの奥行き方向の長さを利用して進出動作が行われることを特徴とする画像形成装置。
【００１７】
（２）前記カバーの内側には、該カバーの閉じ状態検知機構が設けられ、該閉じ状態検知機構は、該カバーの内側面において前記収納部側に設けられたスイッチ作動部と、これに対向する前記筐体側に設けられているスイッチとを備え、該スイッチの作動状態により前記カートリッジが所定の収納位置に定置されていることを検知可能であることを特徴とする（１）記載の画像形成装置。
【００１８】
（３）前記嵌合部には、前記進退部の進出位置及び進出位置から退出位置に対応させた係止部がそれぞれ設けられ、
前記進退部には、前記係止部のいずれかに係合する係合片が設けられ、該係合片が前記係止部のいずれかに係合することにより該進退部が進出位置または退出位置に維持されることを特徴とする（１）または（２）記載の画像形成装置。
【００１９】
（４）前記嵌合部に設けられている係止部は凸部で形成され、前記進退部の係合片は、片持ち梁部で構成され、該係合片は、前記嵌合部の係止部を乗り上げた際に生じる形状復元力を利用して前記係止部間の凹部内に嵌合することで前記進退部の進退位置を維持することを特徴とする（１）乃至（３）のうちの一つに記載の画像形成装置。
【００２０】
（５）前記進退部は、進出状態にあるとき、前記カバーが開放されて開閉部本体が着地した際に着地面に突き動かされることにより後退して退出位置に移動可能であることを特徴とする（１）乃至（３）のうちのいずれか一つに記載の画像形成装置。
【００２１】
（６）前記進退部が透明体であることを特徴とする（１）乃至（５）のうちのいずれか一つに記載の画像形成装置。
【発明の効果】
【００２３】
本発明によれば、カバーが装置筐体に対して開閉可能に設けられている開閉部とこの開閉部に対して進退可能な進退部を備え、この進退部が装置内に格納されるインクカートリッジなどの大きさが大きい場合にその大型のインクカートリッジによって押し動かされる。これにより、大型のインクカートリッジが格納された場合でもカバーの一部のみが外部に進出するようにしてカバーが閉じられなくなるのを防止することができる。この結果、カバーの閉じ状態でインクカートリッジに対する書き込み制御を行う場合の作動を保障することができる。
【図面の簡単な説明】
【００２４】
【図１】本発明による画像形成装置の外観図である。
【図２】図１に示した画像形成装置に設けられているインクカートリッジ収納部を開放した状態を示す外観図である。
【図３】図２に示した状態でのインクカートリッジ収納部の拡大図である。
【図４】図２に示したインクカートリッジ収納部に用いられるカバーの分解斜視図である。
【図５】図４に示したカバーの組み立て状態および作用を説明するための斜視図である。
【図６】図５中符号（６）で示す箇所の拡大図である。
【図７】図５中、符号（７）で示す方向の矢視図である。
【図８】図５に示したカバーの正面図である。
【図９】図２に示したインクカートリッジの収納部に大型のインクカートリッジを収納した状態を示す斜視図である。
【図１０】図９に示した大型のインクカートリッジを用いた場合のカバーの閉じ状態を示す斜視図である。
【図１１】図１０に示したカバーが閉じ状態から開放位置に移動した状態を示す斜視図である。
【図１２】図１０に示すカバーの開放状態での作用を説明するための斜視図である。
【図１３】図１に示した画像形成装置における要部変形例を示す外観図である。
【発明を実施するための形態】
【００２５】
以下、図に示す実施例により本発明を実施するための形態について説明する。
図１は、本発明による画像形成装置の一つである、インクジェット記録装置１の外観図である。
同図に示すインクジェット記録装置１は、図示しないが、装置本体の筐体１Ａ内に色毎の液滴、つまりインクを吐出可能な複数の液滴吐出ノズルを備えた記録ヘッドが備えられている。液滴吐出ノズルへは、後述するが、筐体１Ａの壁面の一部に設けられている収納部に格納されたインクカートリッジからインクが供給されるようになっている。
【００２６】
筐体１Ａには、図１において符号Ｆで示す用紙の排出方向下流側に排紙口１Ｂが形成された正面壁が設けられ、その正面壁における排紙口１Ｂの下方には、上記用紙の排出方向Ｆに沿って給紙カセット１Ｃが挿脱可能に設けられている。
排紙口１Ｂの内側には、詳細を説明しないが、排出される用紙の排出方向先端を衝止可能なエンドフェンス２および用紙の排出方向Ｆと直交する幅方向両端を規制するサイドフェンス３がそれぞれ摺動可能に設けられている。
【００２７】
一方、図１において筐体１Ａの正面において用紙の幅方向一方側には、筐体１Ａの正面壁の一部をなすカバー４が開閉可能に設けられている。
カバー４は、符号４Ａで示すヒンジ軸が筐体１Ａの正面壁内部に支持されることにより上記矢印Ｒで示す方向に開閉できる。これにより、閉じた状態にあるときには図１に示すように筐体１Ａの正面壁の壁面を構成し、矢印Ｒ１で示す方向に開放されたときには、図２に示すようにインクカートリッジＹ１，Ｃ１，Ｍ１，Ｋ１が筐体１Ａ内に収納される収納部１Ａ１を外部に露呈させることができる。なお、図２においてインクカートリッジに付した符号Ｙ，Ｃ，Ｍ，Ｋは、イエロー、シアン、マゼンタそしてブラックを意味している。
【００２８】
インクカートリッジの収納部１Ａ１は、全てのインクカートリッジを対象として、同じ長さの奥行きを持たせたスペースで構成されており、その下方には廃液タンク５の収納部１Ａ２が設けられている。
インクカートリッジＹ１，Ｍ２，Ｃ１およびＫ１は、カバー４近傍の拡大図である図３に示すように、縦方向両側面が収納部１Ａ１の天井内面および底盤内面にそれぞれ設けられているガイド部材１Ａ３に当接することでガタツキなどが生じないようにガイドされると共に収容部１Ａ１内で定置されるようになっている。
【００２９】
図３において、カバー４の内側にはインクカートリッジに設けられているＩＣチップへの情報書込を可能にするための閉じ状態検知機構が設けられている。
つまり、この機構は、カバー４の内側面においてインクカートリッジの収納部側に向けて突出する突片で構成されたスイッチ作動部４Ｂと、筐体１Ａ側に配置されてスイッチ作動部４Ｂにより押圧されるとオン動作が可能なマイクロスイッチ６とを備えて構成されている。
【００３０】
インクカートリッジに設けられているＩＣチップには、色情報や交換磁気情報などが書き込まれるようになっており、インクカートリッジが収納部１Ａ１に収納され終わった状態に相当するカバー４の閉じ状態時に各情報の書き込み制御が行われるようになっている。
【００３１】
閉じ状態検知機構は、カバー４の完全な閉じ状態、換言すれば、各インクカートリッジが確実に収納部１Ａ１の所定の収納位置に格納されて定置されたことを検知するための部材としても用いられる。
【００３２】
一方、筐体１Ａに対して開閉可能に設けられているカバー４は、図４以降の図に示す構成が用いられている。
図４は、カバー４の分解斜視図であり、同図においてカバー４は、筐体１Ａに対して開閉可能に支持される開閉部本体４０Ａと、開閉部本体４０Ａの一部に形成された嵌合部に嵌合されて開閉部本体４０Ａに対して進退可能な進退部４０Ｂとで構成されている。
【００３３】
進退部４０Ｂは、開閉部本体４０Ａの嵌合部である開口部４０Ａ１内に嵌合した際に重ねた状態となり得る、２重箱構造とされている。開閉部本体４０Ａには、ヒンジ軸４Ａ（図３参照）の軸支部として軸挿通孔を有するボス４０Ａ２が揺動基端内面に設けられている。
【００３４】
開閉部本体４０Ａは、開閉方向（矢印Ｒで示す方向）の一面が開放され、その周縁のうちで揺動基端側（ボス部４０Ａ２が設けられている側の端部）を除く周縁が片部で囲まれた直方体形状をなし、開放された一面と対向する面には、上述したように、進退部４０Ｂが嵌合可能な開口部４０Ａ１が形成されている。開口部４０Ａ１の周辺は複数のリブにより剛性低下を抑えられている。
【００３５】
進退部４０Ｂは、嵌合部となる開閉部本体４０Ａの開口部４０Ａ１の内縁に沿う形状の直方体形状からなる枠体で構成され、開口部４０Ａ１の内縁に対向する周縁のうちで、開閉部本体４０Ａの揺動基端側に相当する片部を除く縁部には、開口部４０Ａ１への嵌合時のガイド部を兼ねて開口部４０Ａ１周縁との間の隙間を覆うことができる片部４０Ｂ１が設けられている。
【００３６】
枠体で構成されている進退部４０Ｂは、片部４０Ｂ１が開閉部本体４０Ａの開口４０Ａ１内周縁に当接することにより、図４において矢印Ｓで示す方向に摺動することで開閉部本体４０Ａに対して進退可能な部材として用いられるようになっている。
【００３７】
進退部４０Ｂにおいて周縁のうちで、進退方向（矢印Ｓで示す方向）の一方端、つまり、進出する方向（図４において矢印Ｓ’で示す方向）の前方端には片部４０Ｂ１と一体で片部の外側に張り出した平板により形成されている蓋部４０Ｂ２が設けられている。
【００３８】
蓋部４０Ｂ２は、開閉部本体４０Ａの開口部４０Ａ１に対して進退部４０Ｂが進退する位置に応じて、図５に示すように、開閉部本体４０Ａの表面と面一となる位置及び開閉部本体４０Ａの表面から外側に突出する位置に移動することができる。
図５（Ａ）は、開閉部本体４０Ａ内に進退部４０Ｂが退出して開閉部本体４０Ａの表面と面一となる状態を示している。この状態では、開閉部本体４０Ａの外側面が面一となる位置に蓋部４０２Ｂが移動する。
図５（Ｂ）は、進退部４０Ｂが開閉部本体４０Ａの開口４０Ａ１から矢印Ｓ’で示すように外側に向けて進出した状態を示している。
【００３９】
進退部４０Ｂは、図８に示すように、インクカートリッジの収納部での挿脱方向での長さに応じて開口部４０Ａ１に対しての進出位置と退出位置とを規定されるようになっている。そのための構成として、係止部とこれに係合する片部とが用いられる。以下、この構成について説明する。
【００４０】
図６は、図５に示した進退部４０Ｂが、開閉部本体４０Ａの開口部４０Ａ１に嵌合する位置に退出した状態（図６（Ａ））と、開口部４０Ａ１から外側に進出した状態（図６（Ｂ））にあるときを内側から見た図である。
開閉部本体４０Ａの開口部４０Ａ１近傍には、図６（Ｂ）に示すように、縦方向に沿った複数箇所である、２箇所に、進退部４０Ｂの進出位置および退出位置に対応させた凸部からなる係止部４０Ａ３、４０Ａ３’が設けられている。
【００４１】
図７において係止部４０Ａ３，４０Ａ３’は、縦方向両側面を開閉部本体４０Ａ側に有する支持壁４０Ａ４と一体化されることで、後述するが、進退部４０Ｂ側に位置する係合片４０Ｂ３との係合時の変形を抑止されるようになっている。
【００４２】
一方、進退部４０Ｂには、縦方向で開閉部本体４０Ａ側の係止部４０Ａ３、４０Ａ３’と対向する位置に、図７に示すように、片部４０Ｂ１に対して独立して揺動可能な係合片４０Ｂ３が設けられている。
係合片４０Ｂ３は、片部４０Ｂ１にスリット４０Ｂ１Ａを形成することで片部４０Ｂ１に対して片持ち梁部をなし、その先端が片部４０Ｂ１と独立して揺動でき、開閉部本体４０Ａ側に設けてある係止部４０Ａ３，４０Ａ３’に乗り上げることができる。
【００４３】
係止部４０Ａ３、４０Ａ３’のいずれかに乗り上げることができる係合片４０Ｂ３は、乗り上げた際に生じる形状復元力を利用して係止部４０Ａ３，４０Ａ３’と係合を維持できるようになっており、また、その先端が、乗り上げと係合とを可能にするための鉤状断面で構成されている。
【００４４】
係止部４０Ａ３，４０Ａ３’のうちで、図７において符号４０Ａ３で示す係止部は、進退部４０Ｂが開閉部本体４０Ａの開口部４０Ａ１から外側に進出する方向（図７において矢印Ｓ’で示す方向）の下流側に位置しており、該方向で係止部４０Ａ３に隣接する位置には進退部４０Ｂの抜け止めのために係合片４０Ｂ３が嵌合できる凹部を構成する壁部４０Ａ３Ａが設けられている。
【００４５】
図８は、進退部４０Ｂにおける係合片４０Ｂ３と開閉部本体４０Ａ側の係止片４０Ａ３，４０Ａ３’との係合位置関係を説明するための平面視的な断面図である。図８（Ａ）は、進退部４０Ｂが退出位置にあって、開閉部本体４０Ａの外表面と面一となる時を、そして図８（Ｂ）は、進退部４０Ｂが開閉部本体４０Ａから外側に進出した時を示している。図８（Ｂ）に示す進出状態は、後述するが、インクカートリッジに押し動かされることで設定されるようになっている。なお、矢印Ｓは進退部４０Ｂの進退方向を示している。
【００４６】
図８（Ａ）に示す退出時には、開閉部本体４０Ａ側の係止部のうちで、進退部４０Ｂの進出方向（図８において矢印Ｓ’で示す方向）上流側に位置する係止部４０Ａ３’と進退部４０Ｂ側の係合片４０Ｂ３とが係合している。
図８（Ｂ）に示す進出時には、開閉部本体４０Ａ側の係止部のうちで、進退部４０Ｂの進出方向（図８において矢印Ｓ’で示す方向）下流側に位置する係止部４０Ａ３と進退部４０Ｂ側の係合片４０Ｂ３とが係合し、係止部４０Ａ３に隣接する開閉部本体４０Ａ側の壁部４０Ａ３Ａとで形成された凹部に嵌合することで進出位置に保持されて脱落しない状態を維持されている。
【００４７】
進退部４０Ｂの進出動作は、進退動作が開閉部本体４０Ａの収容部４０Ａ１内に格納されるインクカートリッジの大きさを利用して行われる。つまり、収容部４０Ａ１内に格納されるインクカートリッジには、交換頻度を少なくする目的で大型容量のものを用いることがある。
【００４８】
図８（Ｂ）、図９には、インクカートリッジのうちで、使用頻度の高い色であるブラックインクを収容しているインクカートリッジ（便宜上、符号Ｔ’で示す）を、他のインクカートリッジ（便宜上、符号Ｔで示す）よりも大型とした場合が示されている。
この場合、インクカートリッジＴ’は、挿脱方向（図９において矢印Ｐで示す）での長さも他のインクカートリッジＴより長くされて、他のインクカートリッジＴよりも外側に張り出し、いわゆる、他のインクカートリッジＴの先端よりも、はみ出ている。
【００４９】
本実施例では、このようなインクカートリッジＴ’により、図８（Ｂ）に示すように、進退部４０Ｂを押し動かすことで進退部４０Ｂの進出動作を行わせるようになっている。図１０は、進退部４０Ｂが進出位置にあるときの外観図である。
【００５０】
また、進退部４０Ｂは、図１１に示すように、カバー４が開放されて机上表面等に突き当たることで退出位置に移動することができる。
つまり、開閉カバー４は、開放された際に進退部４０Ｂが机上などの表面に突き当たることで、ほぼ９０度の開放角が得られ、インクカートリッジの収容部４０Ａ１および廃液タンク５の収容部４０Ａ２を外部に露呈することができる。
このようなカバー４の開放時には、図１２に示すように、廃液タンク５を、矢印Ｐ’で示す方向に沿って外部に引き出せるようになっている。
【００５１】
廃液タンク５は、次の理由で装填されている。つまり、インクジェット記録装置１では、内蔵されている記録ヘッドにインクの不吐出状態が発生した時又はそれを予防するために記録ヘッド内のインクを加圧あるいは吸引してノズルから流出させることによりノズルの目詰まりやインク流路中に混入した気泡や異物を除去して記録ヘッドの維持回復動作を行なうための維持回復機構が配設されている。この維持回復機構には、近接位置に廃液タンク５が設けられており、回復動作により記録ヘッドのノズルから流出したインクは、維持回復機構により回収されて廃液タンク５内に貯留される。廃液タンク５は、廃インクにより満杯になると外部に取り出されて交換される部材である。このような理由に基づき、カバー４が開放された際には、廃液タンク５の取り出しも容易に行える必要がある。
【００５２】
以上のような実施例においては、インクカートリッジの大きさが異なる場合においても、カバー４の開閉部本体４０Ａから進退部４０Ｂを進退させることによりカバー４を確実に閉じることができ、これによりインクカートリッジへの書き込み制御を行うためのスイッチを確実に作動させることができる。
【００５３】
従って、本実施例では、カバーの一部を工夫するだけの簡単な構成により、書き込み制御のための特別な部材の設置や複雑な構造さらにはカバーの開閉操作以外の特別な操作等を要求する必要がない。オペレータにとっては、大きさの異なるインクカートリッジを装填した場合でもカバー４を通常の開閉操作のみで印字記録作業に移ることができるので、誤操作などに気遣う必要がないことから操作性の向上が期待できる。
【００５４】
次に、上述した実施例の要部変形例について説明する。
図１３に示す構成は、カバー４の一部を透明体としたことを特徴としている。
図１３において、カバー４の開閉部本体４０Ａに対して進退可能に設けられている進退部（便宜上、符号４０Ｂ’で示す）は、透明体が用いられている。
この構成においては、インクカートリッジを交換する場合、交換対象のインクカートリッジを外部から確認しやすくすることができる。
【符号の説明】
【００５５】
１  インクジェット記録装置
１Ａ  筐体
４  カバー
４Ａ  ヒンジ軸
４Ｂ  スイッチ作動部
５  廃液タンク
６  閉じ検知スイッチ
４０Ａ  開閉部本体
４０Ａ１  開口部
４０Ａ３，４０Ａ３’  係止部
４０Ｂ、４０Ｂ’  進退部
４０Ｂ３  係合片
【先行技術文献】
【特許文献】
【００５６】
【特許文献１】特開２００３−２６６７３２号公報
【図１】
0005740956.tif 000002
【図２】
0005740956.tif 000003
【図３】
0005740956.tif 000004
【図４】
0005740956.tif 000005
【図５】
0005740956.tif 000006
【図６】
0005740956.tif 000007
【図７】
0005740956.tif 000008
【図８】
0005740956.tif 000009
【図９】
0005740956.tif 000010
【図１０】
0005740956.tif 000011
【図１１】
0005740956.tif 000012
【図１２】
0005740956.tif 000013
【図１３】
0005740956.tif 000014